(57)【要約】【課題】乗りかご本体内が暗くなったとき、乗りかご本体内の映像を録画させて、乗りかご本体内が暗くなったときの状況を把握させる。【解決手段】乗りかご部３内の照明スイッチ１４が操作されて、照明灯１２が消灯状態にされたとき、または照明灯１２に何らかの異常が発生しているとき、またはフォトセンサ１６によって検出されている乗りかご部３内の照度が下限照度以下になっているとき、あるいは防犯カメラ１５から出力されている映像信号で示される映像の明るさが下限輝度以下になったとき、主制御盤６内の乗りかご本体内照度低下検出ユニット２１によって、乗りかご本体１１内が暗くなった原因と、このときの時刻などとを記憶させるとともに、録画開始時刻データと、防犯カメラ１５からの映像信号とを映像録画装置９に録画させる。【選択図】      図１
2004315186.tif 000002
【特許請求の範囲】
【請求項１】
乗りかご本体内が予め設定された明るさ以下になったとき、これを検出して救出運転指示、録画指示を出力する照度低下検出手段と、
この照度低下検出手段から救出運転指示が出力されたときには、前記乗りかご本体を最寄り階に停止させる一方、前記照度低下検出手段から録画指示が出力されたときには、乗りかご本体内に設置された防犯カメラから出力される映像信号を録画する防犯手段と、
を備えたことを特徴とするエレベータ防犯システム。
【請求項２】
請求項１に記載のエレベータ防犯システムにおいて、
前記照度低下検出手段は、前記乗りかご本体内に設けられた照明スイッチが操作されて前記乗りかご本体内に設けられた照明灯が消灯されたとき、救出運転指示、録画指示を出力する、
ことを特徴とするエレベータ防犯システム。
【請求項３】
請求項１に記載のエレベータ防犯システムにおいて、
前記照度低下検出手段は、前記乗りかご本体内に設けられた照明灯の照明灯電流が異常なっているとき、救出運転指示、録画指示を出力する、
ことを特徴とするエレベータ防犯システム。
【請求項４】
請求項１に記載のエレベータ防犯システムにおいて、
前記照度低下検出手段は、前記乗りかご本体内に設けられた照度検出器の出力が基準値より低くなっているとき、救出運転指示、録画指示を出力する、
ことを特徴とするエレベータ防犯システム。
【請求項５】
請求項１に記載のエレベータ防犯システムにおいて、
前記照度低下検出手段は、前記防犯カメラから出力される映像信号の輝度が基準値より低くなっているとき、救出運転指示、録画指示を出力する、
ことを特徴とするエレベータ防犯システム。
【発明の詳細な説明】
【０００１】
【発明の属する技術分野】
本発明は、エレベータ設備などで使用されるエレベータ防犯システムに関する。
【０００２】
【従来の技術】
ビルなどに設置されているエレベータ設備では、閉じ込め事故など、運転上の異常が発生したときや、特許文献１に記載されているように、のりかご内でいたずら行為が行われた場合には、乗りかご内の防犯カメラによって撮影された映像を所定時間分だけ、ビデオテープなどの記録装置に録画させ、エレベータ設備を所有する顧客から録画している映像を見せて欲しいという要求があったとき、録画した映像を見せて、乗りかご内で発生するいたずらや犯罪行為を防止させるようにしている。
【０００３】
【特許文献１】
特開２００１−３０２１３１
【０００４】
【発明が解決しようとする課題】
ところで、このような従来のエレベータ防犯システムでは、呼び情報が一定時間、登録されていないとき、照明灯などに何らかの異常が発生したり、照明スイッチが操作されて、照明灯が消灯され、乗りかご内が暗くなっても、防犯カメラによって得られた映像を録画しないことが多い。
【０００５】
このため、呼び情報が一定時間、登録されていないとき、乗りかご内で、いたずら、犯罪などが発生しても、乗りかご内で何が起こったのか、わからないことが多かった。
【０００６】
また、防犯カメラによって、乗りかご内を撮影しても、真っ暗な映像しか得ることができないとき、乗りかご内の照明灯に対するいたずらか、照明灯の破損、故障などによるものか、防犯カメラ自体の異常によるものかを区別するのが難しいという問題があった。
【０００７】
また、防犯カメラによって撮影された映像を確認するとき、異常が発生した時刻が記録されていないことから、顧客から録画した映像を見せてほしいという要求があっても、ビデオテープなどの録画装置に録画された映像の中から、要求された映像を見つけ出すのに多大な時間がかかってしまうという問題があった。
【０００８】
本発明は上記の事情に鑑み、乗りかご内が暗くなったときや、防犯カメラの出力が低下したときなどにおいて、乗りかご内の映像を録画させて、乗りかご内が暗くなったときの状況と、原因とを分析し易くさせ、いたずらや犯罪行為などを防止させることができるエレベータ防犯システムを提供することを目的としている。
【０００９】
【課題を解決するための手段】
上記の目的を達成するために本発明は、請求項１では、乗りかご本体内が予め設定された明るさ以下になったとき、これを検出して救出運転指示、録画指示を出力する照度低下検出手段と、この照度低下検出手段から救出運転指示が出力されたときには、前記乗りかご本体を最寄り階に停止させる一方、前記照度低下検出手段から録画指示が出力されたときには、乗りかご本体内に設置された防犯カメラから出力される映像信号を録画する防犯手段とを備えたことを特徴としている。
【００１０】
上記構成によれば、乗りかご内が暗くなったとき、乗りかご内の映像を録画させて、乗りかご内が暗くなったときの状況と、原因とを分析し易くさせ、これによっていたずらや犯罪行為などを防止させる。
【００１１】
請求項２では、請求項１に記載のエレベータ防犯システムにおいて、前記照度低下検出手段は、前記乗りかご本体内に設けられた照明スイッチが操作されて前記乗りかご本体内に設けられた照明灯が消灯されたとき、救出運転指示、録画指示を出力することを特徴としている。
【００１２】
上記構成によれば、照明スイッチが操作されて、乗りかご内が暗くなったとき、乗りかご内の映像を録画させて、乗りかご内が暗くなったときの状況と、原因とを分析し易くさせ、いたずらや犯罪行為などを防止させる。
【００１３】
請求項３では、請求項１に記載のエレベータ防犯システムにおいて、前記照度低下検出手段は、前記乗りかご本体内に設けられた照明灯の照明灯電流が異常なっているとき、救出運転指示、録画指示を出力することを特徴としている。
【００１４】
上記構成によれば、照明灯に何らか異常が発生して、乗りかご内が暗くなったとき、乗りかご内の映像を録画させて、乗りかご内が暗くなったときの状況と、原因とを分析し易くさせ、いたずらや犯罪行為などを防止させる。
【００１５】
請求項４では、請求項１に記載のエレベータ防犯システムにおいて、前記照度低下検出手段は、前記乗りかご本体内に設けられた照度検出器の出力が基準値より低くなっているとき、救出運転指示、録画指示を出力することを特徴としている。
【００１６】
上記構成によれば、何らかの異常が発生して、乗りかご内が暗くなったとき、乗りかご内の映像を録画させて、乗りかご内が暗くなったときの状況と、原因とを分析し易くさせ、いたずらや犯罪行為などを防止させる。
【００１７】
請求項５では、請求項１に記載のエレベータ防犯システムにおいて、前記照度低下検出手段は、前記防犯カメラから出力される映像信号の輝度が基準値より低くなっているとき、救出運転指示、録画指示を出力することを特徴としている。
【００１８】
上記構成によれば、何らかの異常が発生して、乗りかご内が暗くなり、防犯カメラの出力が低下したとき、乗りかご内の映像を録画させて、乗りかご内が暗くなったときの状況と、原因とを分析し易くさせ、いたずらや犯罪行為などを防止させる。
【００１９】
【発明の実施の形態】
図１は本発明によるエレベータ防犯システムの一実施形態を示す概略構成図である。
【００２０】
この図に示すエレベータ防犯システム１は、ビル４の昇降路２内に昇降自在に配置される乗りかご部３と、ビル４の機械室５などに配置され、予め設定されている通常運転シーケンス、救出運転シーケンス、各呼び入力装置からの呼び情報に応じて、機械室５内に設置された巻上機、乗りかご部３に設置されたモータなどを駆動して、乗りかご部３を通常運転、救出運転させる処理、乗りかご部３の照明状況が録画条件を満たすとき、録画開始指示を出力する処理などを行う主制御盤６と、ビル４の管理室７などに設置され、乗りかご部３から出力される映像信号を画面表示する映像表示装置８と、主制御盤６から録画開始指示が出力されたとき、主制御盤６から録画終了指示が出力されるまで、映像信号を録画する映像録画装置９とを備えている。そして、乗客により各エレベータホール１０、乗りかご部３などに設けられた各呼び入力装置１３などが操作される毎に、主制御盤６によって、巻上機などを動作させて、乗りかご部３を昇降、停止させ、指定された階まで、乗客を運ばせる。また、この動作と並行し、映像表示装置８によって、乗りかご部３内の映像を表示させながら、乗りかご部３に何らかの異常が発生したとき、主制御盤６によって、映像録画装置９を動作させて、乗りかご部３内の映像を録画させるとともに、救出運転を開始させ、乗りかご部３を最寄り階に停止させ、乗客を救出させる。
【００２１】
乗りかご部３は、ビル４の昇降路２内に昇降自在に配置される乗りかご本体１１と、乗りかご本体１１内の天井部分に設けられ、主制御盤６から駆動電圧が供給されているとき、点灯して乗りかご本体１１内を明るくする照明灯１２と、乗りかご本体１１内の正面側部などに取り付けられ、乗客によって操作されたとき、呼び情報を生成して、主制御盤６に供給する呼び入力装置１３と、この呼び入力装置１３の操作面上に設けられ、乗客などの操作内容に応じて、照明灯１２を点灯または消灯させる照明スイッチ１４と、乗りかご本体１１内の天井付近に取り付けられ、乗りかご本体１１内を撮影する防犯カメラ１５と、乗りかご本体１１内の天井部分などに取り付けられ、乗りかご本体１１内が暗くなったとき、これを検知するフォトセンサ１６とを備えている。そして、照明灯１２によって、乗りかご本体１１内を照明しながら、巻上機などによって、昇降、停止させられて、指定された階まで、乗客を運ぶとともに、防犯カメラ１５によって、乗りかご本体１１内の映像を撮影して得られた映像信号などを主制御盤６に供給する。
【００２２】
主制御盤６は、図２のブロック図に示すように、乗りかご本体１１内の照明スイッチ１４が操作されて、照明灯１２が消灯状態にされているとき、これを検出して、録画指示を出力する照明スイッチ操作検出部１７、照明灯１２に何らかの異常が発生しているとき、これを検出して、録画指示を出力する照明灯異常検出部１８、フォトセンサ１６によって検出されている照度が下限照度以下になっているとき、これを検出して録画指示を出力する照度低下検出部１９、防犯カメラ１５から出力された映像信号で示される映像の明るさ（輝度）が下限輝度以下になっているとき、これを検出して録画指示を出力する輝度低下検出部２０などを持つ乗りかご本体内照度低下検出ユニット２１を備えている。また、乗りかご本体内照度低下検出ユニット２１から録画指示が出力されていないとき、乗客によりエレベータホール１０、乗りかご部３などに設けられた各呼び入力装置１３などが操作される毎に出力される呼び情報、予め設定されている通常運転シーケンスなどに基づき、機械室５内に設置された巻上機、乗りかご部３に設置された各モータ、エレベータホール１０に設置された各モータなどを制御して、乗りかご部３を昇降、停止させながら、乗客を乗降させ、また乗りかご本体内照度低下検出ユニット２１から録画指示が出力されているとき、予め設定されている救出運転シーケンスなどに基づき、録画指示を出した部分の番号（照明スイッチ操作検出部１７〜輝度低下検出部２２のいずれかを示す番号）、録画指示が出力された時刻などを記憶するとともに、機械室５内に設置された巻上機、乗りかご部３に設置された各モータ、エレベータホール１０に設置された各モータなどを制御して、乗りかご部３を最寄り階まで昇降させ、乗客を降ろすシーケンス制御ユニット２２と、乗りかご本体内照度低下検出ユニット２１から録画指示が出力されたとき、録画開始指示を出し、このときから予め設定されている一定時間が経過したとき、録画終了指示を出力するタイマ２３とを備えている。
【００２３】
そして、防犯カメラ１５によって得られた映像信号を映像表示装置８に供給させて、乗りかご本体１１内の映像を管理者などに見せながら、乗客によりエレベータホール１０、乗りかご本体１１内などに設けられた各呼び入力装置１３などが操作される毎に、巻上機などを動作させて、乗りかご部３を昇降、停止させ、指定された階まで、乗客を運ばせる。また、この動作と並行して、乗りかご本体１１内が暗くなっているがどうかを判定し、乗りかご本体１１内が暗くなっているとき、救出運転を開始して、乗りかご部３を最寄り階に停止させ、乗客を救出させるとともに、映像録画装置９を動作させて、乗りかご本体１１内の映像を録画させる。
【００２４】
また、映像表示装置８は、ビル４の監視室７などに設置されたＣＲＴなどによって構成されており、防犯カメラ１５から出力される映像信号を取り込んで、乗りかご本体１１内の映像を管理者などに見せる。
【００２５】
また、映像録画装置９は、ビル４の監視室７などに設置されたビデオ映像録画装置などによって構成されており、主制御盤６から録画開始指示が出力されたとき、防犯カメラ１５から出力される映像信号を取り込んで、録画開始時刻データとともに、セットされているビデオテープに録画し、主制御盤６から録画終了指示が出力されたとき、録画を停止する。
【００２６】
次に、図１に示す概略構成図、図２に示すブロック図、図３に示すフローチャートを参照しながら、エレベータ防犯システム１の動作を説明する。
【００２７】
まず、エレベータシステム１のメインスイッチが投入されて、エレベータの運転が開始されると、主制御盤６のシーケンス制御ユニット２２によって、乗りかご部３、各呼び入力装置１３などに対する給電が開始されて、乗りかご部３の照明灯１２が点灯され、乗りかご本体１１内の照明が開始されるとともに、防犯カメラ１５が撮影を開始し、映像表示装置８に乗りかご本体１１内の映像が映し出される。
【００２８】
この後、各呼び入力装置１３などから呼び情報が出力されるまで、シーケンス制御ユニット２２によって、巻上機、各モータなどが制御されて、乗りかご部３が待機状態にさせられる。
【００２９】
そして、各呼び入力装置１３などから呼び情報が出力されて、これが登録される毎に（ステップＳＴ１）、シーケンス制御ユニット２２によって、巻上機、各モータなどが制御されて、乗りかご部３が昇降、停止され、指定された階まで、乗客が運ばれる（ステップＳＴ２）。
【００３０】
この状態で、乗りかご本体１１内の照明スイッチ１４が操作されて、照明灯１２が消灯状態にされたとき（ステップＳＴ３）、または照明灯１２に何らかの異常が発生しているとき（ステップＳＴ４）、またはフォトセンサ１６によって検出されている乗りかご本体１１内の照度が下限照度以下になっているとき（ステップＳＴ５）、あるいは防犯カメラ１５から出力されている映像信号で示される映像の明るさ（輝度）が下限輝度以下になったとき（ステップＳＴ６）、主制御盤６の乗りかご本体内照度低下検出ユニット２１によって、これが検出されて、乗りかご本体１１内が暗くなった原因と、このときの時刻などとが記憶されるとともに、救出運転指示と、録画指示とが出力され、タイマ２３から録画開始指示が出力される。
【００３１】
これにより、シーケンス制御ユニット２２によって、救出運転シーケンスが使用されて、機械室５内に設置された巻上機、乗りかご部３に設置された各モータ、エレベータホール１０に設置された各モータなどが制御されて、乗りかご部３が最寄り階まで昇降させられ、着床した時点で、乗りかご部３のドアを開放させて、乗りかご本体１１内に外光を入れさせ、乗客の不安を解消させながら、乗客をエレベータホール１０側に移動させる（ステップＳＴ７）。
【００３２】
また、この動作と並行し、映像録画装置９によって、録画開始時刻データとともに、防犯カメラ１５から出力される映像信号の録画が開始された後、一定時間が経過し、タイマ２３から録画終了指示が出力されたとき、録画が終了させられる（ステップＳＴ８）。
【００３３】
このように、この実施形態では、乗りかご本体１１内の照明スイッチ１４が操作されて、照明灯１２が消灯状態にされたとき、または照明灯１２に何らかの異常が発生しているとき、またはフォトセンサ１６によって検出されている乗りかご本体１１内の照度が下限照度以下になっているとき、あるいは防犯カメラ１５から出力されている映像信号で示される映像の明るさ（輝度）が下限輝度以下になったとき、主制御盤６内の乗りかご本体内照度低下検出ユニット２１によって、これを検出させて、乗りかご本体１１内が暗くなった原因と、このときの時刻などとを記憶させるとともに、録画開始時刻データと、防犯カメラ１５からの映像信号とを映像録画装置９に録画させるようにしているので、乗りかご本体１１内が暗くなったとき、乗りかご本体１１内の映像を録画させて、乗りかご本体１１内が暗くなったときの状況を把握させることができる。
【００３４】
また、映像録画装置９のビデオテープに録画開始時刻と映像信号とを録画させるとともに、シーケンス制御ユニット２２内に乗りかご本体１１が暗くなった原因と、録画開始時刻とを記憶させるようにしているので、顧客から録画した映像を見せてほしいという要求があったとき、ビデオテープに録画された映像の中から、要求された映像を早く見つけ出させて、見せることができるとともに、乗りかご本体１１内が暗くなった原因の分析を容易にさせて、いたずらや犯罪行為などを防止させることができる。
【００３５】
また、上述した実施形態では、乗りかご本体１１内が暗くなったとき、乗りかご部３を最寄り階に停止させて、戸を開き、外の光によって、乗りかご本体１１内を明るくさせたとき、乗りかご本体１１内の乗客などを撮影させることができることから、防犯カメラとして、通常のビデオカメラを使用させるようにしているが、夜間でも撮影可能なビデオカメラ、例えば赤外線ライトと、赤外線ビデオカメラなどを使用させて、乗りかご本体１１内が真っ暗なときでも、乗りかご本体１１内にいる乗客を撮影させるようにしても良い。
【００３６】
このようにすることにより、乗りかご本体１１内が暗くなった時点から、鮮明な映像を録画させて、いたずらや犯罪行為などを効果的に抑制させることができる。
【００３７】
【発明の効果】
以上説明したように本発明によれば、乗りかご内が暗くなったとき、乗りかご内の映像を録画させて、乗りかご内が暗くなったときの状況と、原因とを分析し易くさせ、いたずらや犯罪行為などを防止させることができる。
【図面の簡単な説明】
【図１】本発明によるエレベータ防犯システムの一実施形態を示す概略構成図である。
【図２】図１に示すエレベータ防犯システムの回路構成例を示すブロック図である。
【図３】図１に示すエレベータ防犯システムの動作例を示すフローチャートである。
【符号の説明】
１：エレベータ防犯システム
２：昇降路
３：乗りかご部
４：ビル
５：機械室
６：主制御盤
７：管理室
８：映像表示装置
９：映像録画装置（防犯手段）
１０：エレベータホール
１１：乗りかご本体
１２：照明灯
１３：呼び入力装置
１４：照明スイッチ
１５：防犯カメラ
１６：フォトセンサ
１７：照明スイッチ操作検出部
１８：照明灯異常検出部
１９：照度低下検出部
２０：輝度低下検出部
２１：乗りかご本体内照度低下検出ユニット（照度低下検出手段）
２２：シーケンス制御ユニット（防犯手段）
２３：タイマ
【図１】
2004315186.tif 000003
【図２】
2004315186.tif 000004
【図３】
2004315186.tif 000005